【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
基地局から第１の構成情報を受信することと、ここで、前記第１の構成情報は、前記基地局の特定のアンライセンスキャリア上の少なくとも１つのフレームについての第１のサブフレーム割振りを指示し、前記第１のサブフレーム割振りは、前記基地局についてのダウンリンク／アップリンク構成を備える、
前記第１の構成情報の受信が成功したときに、前記第１のサブフレーム割振りに従って、前記特定のアンライセンスキャリア上の前記少なくとも１つのフレーム中に前記基地局からダウンリンクサブフレームを受信することと、ここで、前記ダウンリンクサブフレームは、データ送信の最初のサブフレームであり、前記第１のサブフレーム割振りの開始に後続する、
を備える方法。
【請求項２】
前記第１の構成情報は、前記基地局のプライマリコンポーネントキャリア（ＰＣＣ）上の第１のフレーム中で受信され、前記特定のアンライセンスキャリアは前記基地局のセカンダリコンポーネントキャリア（ＳＣＣ）であり、前記ＰＣＣはライセンススペクトル中にあり、前記ＳＣＣはアンライセンススペクトル中にあり、前記方法は、
前記ＳＣＣ上での前記基地局からの前記データ送信の開始を検出すること、ここにおいて、前記基地局から前記ダウンリンクサブフレームを前記受信することは、データ送信の前記開始の検出が成功したときに実施される、
をさらに備える、請求項１に記載の方法。
【請求項３】
前記少なくとも１つのフレームは、前記ＳＣＣ上の前記第１のフレームを含み、前記第１の構成情報は、前記第１のフレームの最初のサブフレーム中に前記ＰＣＣ上で受信される、請求項２に記載の方法。
【請求項４】
前記アンライセンススペクトルを保持するために、前記ＳＣＣ上の前記第１のフレームの最終サブフレームにおいて、前記基地局にデータを送信するか、または前記基地局からデータを受信することと、
前記ＰＣＣ上の第２のフレームの最初のサブフレームにおいて前記基地局から前記ＳＣＣについての第２の構成情報を受信することと、ここにおいて、前記第２のフレームは前記第１のフレームに後続かつ連続し、前記第２の構成情報は、前記ＳＣＣ上の前記第２のフレームについての第２のサブフレーム割振りを指示する、
前記基地局から第２のダウンリンクサブフレームを受信することと、ここで、前記第２のダウンリンクサブフレームは前記第２のサブフレーム割振りの開始に後続する、
をさらに備える、請求項３に記載の方法。
【請求項５】
前記第１の構成情報は、１つのフレーム中での前記第１のサブフレーム割振りを指示し、前記１つのフレームの前記第１のサブフレーム割振りは、前記少なくとも１つのフレームの各フレームに適用される、請求項２に記載の方法。
【請求項６】
前記特定のアンライセンスキャリアはアンライセンススペクトル中にあり、前記第１の構成情報を前記受信することは、前記特定のアンライセンスキャリア上で実施され、前記方法は、
第１のフレーム中の前記特定のアンライセンスキャリア上での、前記基地局からの前記データ送信の開始を検出することをさらに備える、
請求項１に記載の方法。
【請求項７】
前記少なくとも１つのフレームは、前記第１のフレームに後続かつ連続する第２のフレームを含む、請求項６に記載の方法。
【請求項８】
前記第２のフレーム中の最初のダウンリンクサブフレームにおいて第２の構成情報を受信することと、ここにおいて、前記第２の構成情報は、前記特定のアンライセンスキャリア上の前記第２のフレームについての第２のサブフレーム割振りを指示する、
前記特定のキャリア上で前記第１の構成情報の受信が成功しなかったときに、前記第２のサブフレーム割振りに従って、前記基地局から、前記特定のアンライセンスキャリア上の前記第２のフレーム中で第２のダウンリンクサブフレームを受信することと、
をさらに備える、請求項７に記載の方法。
【請求項９】
基地局におけるワイヤレス通信の方法であって、
ユーザ機器（ＵＥ）に第１の構成情報を送信することと、ここで、前記第１の構成情報は、特定のアンライセンスキャリア上の少なくとも１つのフレームについての第１のサブフレーム割振りを指示し、前記第１のサブフレーム割振りは、前記基地局についてのダウンリンク／アップリンク構成を備える、
前記第１の構成情報の送信が成功したときに、前記第１のサブフレーム割振りに従って、前記特定のアンライセンスキャリア上の前記少なくとも１つのフレーム中に前記ＵＥにダウンリンクサブフレームを送信することと、ここで、前記ダウンリンクサブフレームは、データ送信の最初のサブフレームであり、前記第１のサブフレーム割振りの開始に後続する、
を備える、方法。
【請求項１０】
前記特定のアンライセンスキャリアは前記基地局のセカンダリコンポーネントキャリア（ＳＣＣ）であり、前記第１の構成情報は、前記基地局のプライマリコンポーネントキャリア（ＰＣＣ）上の第１のフレーム中で前記ＵＥに送信され、前記ＰＣＣはライセンススペクトル中にあり、前記ＳＣＣはアンライセンススペクトル中にあり、前記方法は、
前記ＳＣＣ上での前記第１のサブフレーム割振りに従って、前記ＵＥにデータ送信の開始を示すインジケータを送信すること、ここにおいて、前記ダウンリンクサブフレームを前記ＵＥに前記送信することは、前記インジケータの送信が成功したときに実施される、
をさらに備える、請求項９に記載の方法。
【請求項１１】
前記少なくとも１つのフレームは前記ＳＣＣ上の前記第１のフレームを含み、前記第１の構成情報は、前記第１のフレームの最初のサブフレーム中に前記ＰＣＣ上で送信される、請求項１０に記載の方法。
【請求項１２】
前記アンライセンススペクトルを保持するために、前記ＳＣＣ上の前記第１のフレームの最終サブフレームにおいて、前記ＵＥからデータを受信するか、または前記ＵＥにデータを送信することと、
前記ＰＣＣ上の第２のフレームの最初のサブフレームにおいて前記ＵＥに前記ＳＣＣについての第２の構成情報を送信することと、ここにおいて、前記第２のフレームは前記第１のフレームに後続かつ連続し、前記第２の構成情報は、前記ＳＣＣ上の前記第２のフレームについての第２のサブフレーム割振りを指示する、
前記ＵＥに第２のダウンリンクサブフレームを送信することと、ここで、前記第２のダウンリンクサブフレームは前記第２のサブフレーム割振りの開始に後続する、
をさらに備える、請求項１１に記載の方法。
【請求項１３】
第１のフレーム中の前記特定のアンライセンスキャリア上で、ユーザ機器（ＵＥ）にデータ送信の開始を指示するインジケータを送信すること、ここにおいて、前記特定のアンライセンスキャリアはアンライセンススペクトル中にある、
をさらに備える、請求項９に記載の方法。
【請求項１４】
ユーザ機器（ＵＥ）であって、
基地局から第１の構成情報を受信するための手段と、ここで、前記第１の構成情報は、前記基地局の特定のアンライセンスキャリア上の少なくとも１つのフレームについての第１のサブフレーム割振りを指示し、前記第１のサブフレーム割振りは、前記基地局についてのダウンリンク／アップリンク構成を備える、
前記第１の構成情報の送信が成功したときに、前記第１のサブフレーム割振りに従って、前記特定のアンライセンスキャリア上の前記少なくとも１つのフレーム中に前記基地局からダウンリンクサブフレームを受信するための手段と、ここで、前記ダウンリンクサブフレームは、データ送信の最初のサブフレームであり、前記第１のサブフレーム割振りの開始に後続する、
を備える、ＵＥ。
【請求項１５】
基地局であって、
ユーザ機器（ＵＥ）に第１の構成情報を送信するための手段と、ここで、前記第１の構成情報は、特定のアンライセンスキャリア上の少なくとも１つのフレームについての第１のサブフレーム割振りを指示し、前記第１のサブフレーム割振りは、前記基地局についてのダウンリンク／アップリンク構成を備える、
前記第１の構成情報の送信が成功したときに、前記第１のサブフレーム割振りに従って、前記特定のアンライセンスキャリア上の前記少なくとも１つのフレーム中に前記ＵＥにダウンリンクサブフレームを送信するための手段と、ここで、前記ダウンリンクサブフレームは、データ送信の最初のサブフレームであり、前記第１のサブフレーム割振りの開始に後続する、
を備える、基地局。
【手続補正２】
【補正対象書類名】明細書
【補正対象項目名】０２３１
【補正方法】変更
【補正の内容】
【０２３１】
[00256]以上の説明は、当業者が本明細書で説明する様々な態様を実践できるようにするために提供される。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない最大の範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書において例、事例、または例示の働きをすることを意味するために使用される。「例示的」として本明細書において説明されるいかなる態様も、必ずしも他の態様よりも好ましいか、または有利であると解釈されるべきではない。別段に明記されていない限り、「いくつかの（ｓｏｍｅ）」という用語は１つまたは複数を表す。「Ａ、Ｂ、またはＣのうちの少なくとも１つの」、「Ａ、Ｂ、およびＣのうちの少なくとも１つ」、「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、およびＣのうちの少なくとも１つ」、「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、ＡおよびＢおよびＣであり得、任意のそのような組合せは、Ａ、Ｂ、またはＣのうちの１つまたは複数のメンバを含み得る。当業者に知られている、または後に知られることになる、本開示全体にわたって説明された様々な態様の要素のすべての構造的および機能的等価物は、参照により本明細書に明確に組み込まれ、特許請求の範囲に包含されるものである。さらに、本明細書に開示されるものは、そのような開示が特許請求の範囲において明示的に列挙されているかどうかにかかわらず、公に供されることは意図されていない。いかなるクレーム要素も、その要素が「ための手段」という句を使用して明確に列挙されていない限り、ミーンズプラスファンクションとして解釈されるべきではない。
以下に本願の出願当初の特許請求の範囲に記載された発明を付記する。
[Ｃ１]  ユーザ機器（ＵＥ）におけるワイヤレス通信の方法であって、
基地局から第１の構成情報を受信しようと試みることと、ここで、前記第１の構成情報は、前記基地局の特定のキャリア上の少なくとも１つのフレームについての第１のサブフレーム割振りを指示する、
前記第１の構成情報を受信しようとする前記試みが成功したときに、前記第１のサブフレーム割振りに従って、前記特定のキャリア上の前記少なくとも１つのフレーム中に前記基地局からダウンリンクサブフレームを受信することと、ここで、前記ダウンリンクサブフレームは、データ送信の最初のサブフレームであり、前記第１のサブフレーム割振りの開始に後続する、
を備える方法。
[Ｃ２]  前記第１の構成情報は、前記基地局のプライマリコンポーネントキャリア（ＰＣＣ）上の第１のフレーム中で受信され、前記特定のキャリアは前記基地局のセカンダリコンポーネントキャリア（ＳＣＣ）であり、前記ＰＣＣはライセンススペクトル中にあり、前記ＳＣＣはアンライセンススペクトル中にあり、前記方法は、
前記ＳＣＣ上での前記基地局からの前記データ送信の開始を検出しようと試みること、ここにおいて、前記基地局から前記ダウンリンクサブフレームを前記受信することは、データ送信の前記開始を検出しようとする前記試みが成功したときに実施される、
をさらに備える、Ｃ１に記載の方法。
[Ｃ３]  前記第１のサブフレーム割振りは、前記少なくとも１つのフレーム中での、１つまたは複数のアップリンクサブフレーム、１つまたは複数のダウンリンクサブフレーム、および１つまたは複数の特殊サブフレームの割振りを指示する、Ｃ２に記載の方法。
[Ｃ４]  前記少なくとも１つのフレームは、前記ＳＣＣ上の前記第１のフレームを含み、前記第１の構成情報は、前記第１のフレームの最初のサブフレーム中に前記ＰＣＣ上で受信される、Ｃ２に記載の方法。
[Ｃ５]  前記アンライセンススペクトルを保持するために、前記ＳＣＣ上の前記第１のフレームの最終サブフレームにおいて、前記基地局にデータを送信するか、または前記基地局からデータを受信することと、
前記ＰＣＣ上の第２のフレームの最初のサブフレームにおいて前記基地局から前記ＳＣＣについての第２の構成情報を受信することと、ここにおいて、前記第２のフレームは前記第１のフレームに後続かつ連続し、前記第２の構成情報は、前記ＳＣＣ上の前記第２のフレームについての第２のサブフレーム割振りを指示する、
前記基地局から第２のダウンリンクサブフレームを受信することと、ここで、前記第２のダウンリンクサブフレームは前記第２のサブフレーム割振りの開始に後続する、
をさらに備える、Ｃ４に記載の方法。
[Ｃ６]  前記第１の構成情報は、１つのフレーム中での前記第１のサブフレーム割振りを指示し、前記１つのフレームの前記第１のサブフレーム割振りは、前記少なくとも１つのフレームの各フレームに適用される、Ｃ２に記載の方法。
[Ｃ７]  前記第１の構成情報は、前記１つのフレームの最後における複数の連続するアップリンクサブフレームを指示し、前記方法は、データ送信の前記開始を検出しようとする前記試みが成功しなかったときに、デフォルト構成に従って、前記複数の連続するアップリンクサブフレームのうちの最初のサブフレームに対応する前記第１のフレームのサブフレームにおいて、前記基地局と通信することをさらに備える、Ｃ６に記載の方法。
[Ｃ８]  前記特定のキャリアはアンライセンススペクトル中にあり、前記第１の構成情報を受信しようと前記試みることは、前記特定のキャリア上で実施され、前記方法は、
第１のフレーム中の前記特定のキャリア上での、前記基地局からの前記データ送信の開始を検出することをさらに備える、
Ｃ１に記載の方法。
[Ｃ９]  前記少なくとも１つのフレームは、前記第１のフレームに後続かつ連続する第２のフレームを含む、Ｃ８に記載の方法。
[Ｃ１０]  前記第２のフレーム中の最初のダウンリンクサブフレームにおいて第２の構成情報を受信することと、ここにおいて、前記第２の構成情報は、前記特定のキャリア上の前記第２のフレームについての第２のサブフレーム割振りを指示する、
前記特定のキャリア上で前記第１の構成情報を受信しようとする前記試みが成功しなかったときに、前記第２のサブフレーム割振りに従って、前記基地局から、前記特定のキャリア上の前記第２のフレーム中で第２のダウンリンクサブフレームを受信することと、  をさらに備える、Ｃ９に記載の方法。
[Ｃ１１]  前記少なくとも１つのフレームは前記第１のフレームを含み、前記第１の構成情報は、前記第１のフレームの最初のダウンリンクサブフレームにおいて受信される、Ｃ８に記載の方法。
[Ｃ１２]  前記少なくとも１つのフレームは、前記第１のフレームに続くＭ個のフレームを含み、Ｍは１よりも大きい整数である、Ｃ８に記載の方法。
[Ｃ１３]  前記Ｍ個のフレームのうちの最初のフレーム中の最初のダウンリンクサブフレームにおいて第２の構成情報を受信することと、ここにおいて、前記第２の構成情報は、前記特定のキャリア上の１つのフレーム中での第２のサブフレーム割振りを指示する、
前記特定のキャリア上で前記第１の構成情報を受信しようとする前記試みが成功しなかったときに、前記第２のサブフレーム割振りに従って、前記Ｍ個のフレームの各々においてダウンリンクサブフレームを前記基地局から受信することと、
をさらに備える、Ｃ１２に記載の方法。
[Ｃ１４]  前記少なくとも１つのフレームに関連付けられたアップリンク許可を受信することと、前記アップリンク許可と前記第１のサブフレーム割振りとの間に衝突が存在すると決定することと、前記アップリンク許可に従って、前記少なくとも１つのフレーム中に前記基地局と通信することとをさらに備える、Ｃ８に記載の方法。
[Ｃ１５]  基地局におけるワイヤレス通信の方法であって、
ユーザ機器（ＵＥ）に第１の構成情報を送信しようと試みることと、ここで、前記第１の構成情報は、特定のキャリア上の少なくとも１つのフレームについての第１のサブフレーム割振りを指示する、
前記第１の構成情報を送信しようとする前記試みが成功したときに、前記第１のサブフレーム割振りに従って、前記特定のキャリア上の前記少なくとも１つのフレーム中に前記ＵＥにダウンリンクサブフレームを送信することと、ここで、前記ダウンリンクサブフレームは、データ送信の最初のサブフレームであり、前記第１のサブフレーム割振りの開始に後続する、
を備える、方法。
[Ｃ１６]  前記特定のキャリアは前記基地局のセカンダリコンポーネントキャリア（ＳＣＣ）であり、前記第１の構成情報は、前記基地局のプライマリコンポーネントキャリア（ＰＣＣ）上の第１のフレーム中で前記ＵＥに送信され、前記ＰＣＣはライセンススペクトル中にあり、前記ＳＣＣはアンライセンススペクトル中にあり、前記方法は、
前記ＳＣＣ上での前記第１のサブフレーム割振りに従って、前記ＵＥにデータ送信の開始を示すインジケータを送信しようと試みること、ここにおいて、前記ダウンリンクサブフレームを前記ＵＥに前記送信することは、前記インジケータを送信しようとする前記試みが成功したときに実施される、
をさらに備える、Ｃ１５に記載の方法。
[Ｃ１７]  前記第１のサブフレーム割振りは、前記少なくとも１つのフレーム中での、１つまたは複数のアップリンクサブフレーム、１つまたは複数のダウンリンクサブフレーム、および１つまたは複数の特殊サブフレームの割振りを指示する、Ｃ１６に記載の方法。
[Ｃ１８]  前記少なくとも１つのフレームは前記ＳＣＣ上の前記第１のフレームを含み、前記第１の構成情報は、前記第１のフレームの最初のサブフレーム中に前記ＰＣＣ上で送信される、Ｃ１６に記載の方法。
[Ｃ１９]  前記アンライセンススペクトルを保持するために、前記ＳＣＣ上の前記第１のフレームの最終サブフレームにおいて、前記ＵＥからデータを受信するか、または前記ＵＥにデータを送信することと、
前記ＰＣＣ上の第２のフレームの最初のサブフレームにおいて前記ＵＥに前記ＳＣＣについての第２の構成情報を送信することと、ここにおいて、前記第２のフレームは前記第１のフレームに後続かつ連続し、前記第２の構成情報は、前記ＳＣＣ上の前記第２のフレームについての第２のサブフレーム割振りを指示する、
前記ＵＥに第２のダウンリンクサブフレームを送信することと、ここで、前記第２のダウンリンクサブフレームは前記第２のサブフレーム割振りの開始に後続する、
をさらに備える、Ｃ１８に記載の方法。
[Ｃ２０]  前記第１の構成情報は、１つのフレーム中でのサブフレームの前記第１の割振りを指示し、前記１つのフレームの前記第１の割振りは、前記少なくとも１つのフレームの各フレームに適用される、Ｃ１６に記載の方法。
[Ｃ２１]  前記第１の構成情報は、前記１つのフレームの最後における複数の連続するアップリンクサブフレームを指示し、前記方法は、前記インジケータを送信しようとする前記試みが成功しなかったときに、デフォルト構成に従って、前記複数の連続するアップリンクサブフレームのうちの最初のサブフレームに対応する前記第１のフレームのサブフレームにおいて前記ＵＥと通信することをさらに備える、Ｃ２０に記載の方法。
[Ｃ２２]  第１のフレーム中の前記特定のキャリア上で、ユーザ機器（ＵＥ）にデータ送信の開始を指示するインジケータを送信すること、ここにおいて、前記特定のキャリアはアンライセンススペクトル中にある、
をさらに備える、Ｃ１５に記載の方法。
[Ｃ２３]  前記少なくとも１つのフレームは、前記第１のフレームに後続かつ連続する第２のフレームを含む、Ｃ２２に記載の方法。
[Ｃ２４]  前記第２のフレーム中の最初のダウンリンクサブフレーム中で第２の構成情報を送信することと、ここにおいて、前記第２の構成情報は、前記特定のキャリア上の前記第２のフレームについての第２のサブフレーム割振りを指示する、
前記特定のキャリア上で前記第１の構成情報を送信しようとする前記試みが成功しなかったときに、前記第２のサブフレーム割振りに従って、前記ＵＥに、前記特定のキャリア上の前記第２のフレーム中の第２のダウンリンクサブフレームを送信することと、
をさらに備える、Ｃ２３に記載の方法。
[Ｃ２５]  前記少なくとも１つのフレームは前記第１のフレームを含み、前記第１の構成情報は、前記第１のフレームの最初のダウンリンクサブフレーム中に送信される、Ｃ２２に記載の方法。
[Ｃ２６]  前記少なくとも１つのフレームは、前記第１のフレームに続くＭ個のフレームを含み、Ｍは１よりも大きい整数である、Ｃ２２に記載の方法。
[Ｃ２７]  前記Ｍ個のフレームのうちの最初のフレーム中の最初のダウンリンクサブフレームにおいて第２の構成情報を送信することと、ここにおいて、前記第２の構成情報は、前記特定のキャリア上の１つのフレーム中での第２のサブフレーム割振りを指示する、
前記特定のキャリア上で前記第１の構成情報を送信しようとする前記試みが成功しなかったときに、前記第２のサブフレーム割振りに従って、前記Ｍ個のフレームの各々においてダウンリンクサブフレームを前記ＵＥに送信することと、
をさらに備える、Ｃ２６に記載の方法。
[Ｃ２８]  前記少なくとも１つのフレームに関連付けられたアップリンク許可を送信することと、ここにおいて、前記アップリンク許可と前記第１のサブフレーム割振りとの間で衝突は存在する、前記アップリンク許可に従って、前記少なくとも１つのフレームにおいて前記ＵＥと通信することとをさらに備える、Ｃ２２に記載の方法。
[Ｃ２９]  ワイヤレス通信のための装置であって、前記装置がユーザ機器（ＵＥ）であり、
メモリと、
前記メモリに結合された少なくとも１つのプロセッサとを備え、前記少なくとも１つのプロセッサが、
基地局から第１の構成情報を受信しようと試みることと、ここで、前記第１の構成情報は、前記基地局の特定のキャリア上の少なくとも１つのフレームについての第１のサブフレーム割振りを指示する、
前記第１の構成情報を受信しようとする前記試みが成功したときに、前記第１のサブフレーム割振りに従って、前記特定のキャリア上の前記少なくとも１つのフレーム中に前記基地局からダウンリンクサブフレームを受信することと、ここで、前記ダウンリンクサブフレームは、データ送信の最初のサブフレームであり、前記第１のサブフレーム割振りの開始に後続する、
を行うように構成される、装置。
[Ｃ３０]  ワイヤレス通信のための装置であって、前記装置が基地局であり、
メモリと、
前記メモリに結合された少なくとも１つのプロセッサとを備え、前記少なくとも１つのプロセッサは、
ユーザ機器（ＵＥ）に第１の構成情報を送信しようと試みることと、ここで、前記第１の構成情報は、特定のキャリア上の少なくとも１つのフレームについての第１のサブフレーム割振りを指示する、
前記第１の構成情報を送信しようとする前記試みが成功したときに、前記第１のサブフレーム割振りに従って、前記特定のキャリア上の前記少なくとも１つのフレーム中に前記ＵＥにダウンリンクサブフレームを送信することと、ここで、前記ダウンリンクサブフレームは、データ送信の最初のサブフレームであり、前記第１のサブフレーム割振りの開始に後続する、
を行うように構成される、装置。